(57)【要約】【課題】枠体に対して摺動する摺動部材を利用して、障子を移動しても網戸が障子と共に移動し難い建具を簡易な構成にて提供する。【解決手段】開口に取り付けられる枠体に設けられ見付け方向に移動自在な障子及び網戸とを有する建具であって、前記網戸の框に取り付けられ、当該網戸が移動する際に前記枠体に対して摺動する摺動部材を有し、前記摺動部材は、前記網戸を閉めた際に、前記見付け方向と交差する方向へ、前記枠体によって押圧される押圧部を有する。【選択図】図４
2007255080.tif 000002
【特許請求の範囲】
【請求項１】
開口に取り付けられる枠体と、前記枠体に設けられ見付け方向に移動自在な障子及び網戸とを有する建具であって、
前記網戸の框に取り付けられ、当該網戸が移動する際に前記枠体に対して摺動する摺動部材を有し、
前記摺動部材は、前記網戸を閉めた際に、前記見付け方向と交差する方向へ、前記枠体によって押圧される押圧部を有することを特徴とする建具。
【請求項２】
請求項１に記載の建具であって、
前記押圧部は、前記摺動部材の一部として一体に成形されていることを特徴とする建具。
【請求項３】
開口に取り付けられる枠体と、前記枠体に設けられ見付け方向に移動自在な障子及び網戸とを有する建具であって、
前記網戸の框に取り付けられ、当該網戸が移動する際に前記枠体に対して摺動する摺動部材と、
前記摺動部材と隣接して設けられ、前記網戸を閉めた際に、前記見付け方向と交差する方向へ、前記枠体によって押圧される押圧部材と、を有することを特徴とする建具。
【請求項４】
請求項３に記載の建具であって、
前記押圧部材は、前記摺動部材に取り付けられていることを特徴とする建具。
【請求項５】
請求項４に記載の建具であって、
前記押圧部材は、前記摺動部材に対し見付け方向のいずれの側にも取り付け可能であることを特徴とする建具。
【請求項６】
請求項３に記載の建具であって、
前記押圧部材は、前記摺動部材に当接されるように前記網戸の框に取り付けられていることを特徴とする建具。
【請求項７】
請求項６に記載の建具であって、
前記押圧部材は、前記框に取り付けられた際に、前記框側に位置する取付面と、前記框と反対側に位置し前記取付面に対して所定の角度を有し前記枠体に押圧される枠体押圧面と、前記框取り付けた際に前記摺動部材に当接される当接凸部とを有し、
前記押圧部材は、前記当接凸部が前記摺動部材に当接されて、前記框において前記押圧部材が取り付けられる面と前記枠体押圧面とが平行となるように前記框に取り付けられていることを特徴とする建具。
【発明の詳細な説明】
【技術分野】
【０００１】
本発明は、開口に取り付けられる枠体と、前記枠体に設けられ見付け方向に移動自在な障子及び網戸を有する建具に関する。
【背景技術】
【０００２】
従来から、開口に取り付けられた枠体と、前記枠体に設けられ見付け方向に移動自在な障子及び網戸を有する建具が知られている。このような建具においては、外障子の外側に網戸が設けられている。網戸は、通風の為に設けられると共に、室内に虫等が入り込まない防虫機能が必要であり、外障子あるいは枠体との隙間を塞ぐためのシール材等を介して外障子あるいは枠体と接触している。しかし、外障子を移動させると、外障子と共に網戸が僅かに移動してしまい枠体との間に隙間が生じる事がある。このため、従来の建具には、網戸に係止部を設け、枠体に被係止部を設け、網戸を閉じた際に、網戸の係止部が枠体の被係止部に係止されるようにした建具がある（例えば、特許文献１参照）。
【特許文献１】実公平４−６２８９３号公報
【発明の開示】
【発明が解決しようとする課題】
【０００３】
しかしながら、上記従来の建具は、網戸ばかりでなく枠体にも加工を施したり、網戸を枠体に係止するための部材を設けなければならないという課題があった。
【０００４】
本発明は、かかる課題に鑑みてなされたものであり、その目的とするところは、枠体に対して摺動する摺動部材を利用して、障子を移動しても網戸が障子と共に移動し難い建具を簡易な構成にて提供することにある。
【課題を解決するための手段】
【０００５】
開口に取り付けられる枠体と、前記枠体に設けられ見付け方向に移動自在な障子及び網戸とを有する建具であって、前記網戸の框に取り付けられ、当該網戸が移動する際に前記枠体に対して摺動する摺動部材を有し、前記摺動部材は、前記網戸を閉めた際に、前記見付け方向と交差する方向へ、前記枠体によって押圧される押圧部を有することを特徴とする建具である。  
このような建具によれば、網戸が閉められた際には、押圧部が枠体から押圧されることにより摺動部材も見付け方向と交差する方向に押圧される。このため、押圧部と枠体との間に生じる摩擦力が大きくなるため、障子を移動させても網戸が閉められた状態を維持させることが可能である。このとき、押圧力は網戸を閉めた際に押圧部が枠体によって押圧されることにより生じるので、枠体には何らの加工も必要はない。よって、枠体に加工等を施すことなく、障子を移動しても網戸が障子と共に移動し難い建具を実現することが可能である。
【０００６】
かかる建具であって、前記押圧部は、前記摺動部材の一部として一体に成形されていることが望ましい。  
このような建具によれば、押圧部は摺動部材の一部なので、構成する部品が増えることはなく、また、組み立て工数も増えないので、コストも増加させることなく、障子を移動しても網戸が障子と共に移動し難い建具を実現することが可能である。
【０００７】
また、開口に取り付けられる枠体と、前記枠体に設けられ見付け方向に移動自在な障子及び網戸とを有する建具であって、前記網戸の框に取り付けられ、当該網戸が移動する際に前記枠体に対して摺動する摺動部材と、前記摺動部材と隣接して設けられ、前記網戸を閉めた際に、前記見付け方向と交差する方向へ、前記枠体によって押圧される押圧部材と、を有することを特徴とする建具である。  
このような建具によれば、網戸を閉めた際に、見付け方向と交差する方向へ、枠体によって押圧される押圧部材は、障子が移動する際に枠体に対して摺動する摺動部材に隣接して設けられているので、摺動部材の構造、形状、配置等を利用して、押圧部材を効果的に配置することが可能となる。
【０００８】
かかる建具であって、前記押圧部材は、前記摺動部材に取り付けられていることが望ましい。  
このような建具によれば、摺動部材と押圧部材とが別体なので、対象となる障子、網戸、枠体に応じて押圧部材を変更することが可能であり、押圧部材を変更することにより生じる押圧力を変更することが可能である。さらに、予め押圧部材を摺動部材に取り付けた上で、框に取り付けることも可能となる。このため、汎用性の高い建具を提供することが可能である。
【０００９】
かかる建具であって、前記押圧部材は、前記摺動部材に対し見付け方向のいずれの側にも取り付け可能であることが望ましい。  
例えば引き違いの窓や、片引きの窓などの取り付けられる場所により、網戸の見付け方向におけるいずれかの側が枠体に当接された状態で閉められた状態となる可能性がある。このため、押圧部材が摺動部材に対し見付け方向のいずれの側にも取り付け可能であることにより、所定形態の押圧部材を網戸のいずれの側にも設けることが可能である。よって、網戸が見付け方向におけるいずれの側で閉められた状態となる構成であっても、上記の押圧部材を適用することが可能である。
【００１０】
かかる建具であって、前記押圧部材は、前記摺動部材に当接されるように前記網戸の框に取り付けられていることが望ましい。  
このような建具によれば、押圧部材は隣接する摺動部材に当接されるので、框に着脱自在な構成であっても安定した状態を保つことが可能であり、枠体に、より確実に押圧される構成を実現することが可能である。
【００１１】
かかる建具であって、前記押圧部材は、前記框に取り付けられた際に、前記框側に位置する取付面と、前記框と反対側に位置し前記取付面に対して所定の角度を有し前記枠体に押圧される枠体押圧面と、前記框取り付けた際に前記摺動部材に当接される当接凸部とを有し、前記押圧部材は、前記当接凸部が前記摺動部材に当接されて、前記框において前記押圧部材が取り付けられる面と前記枠体押圧面とが平行となるように前記框に取り付けられていることが望ましい。  
このような建具によれば、押圧部材が框に取り付けられると、当接凸部が摺動部材に当接されて、枠体押圧面と框において押圧部材が取り付けられている面とが平行な状態となる。このため、網戸が見付け方向に移動する際には、枠体押圧面と枠体とが平行をなす状態が維持されている。このため、網戸を閉めて、枠体により押圧部材が押圧される際には、枠体当接面と枠体とを面接触させることが可能である。よって、網戸が開く方向に引っ張られたときに枠体当接面と枠体との間にて生じる摩擦力を高めることが可能である。
【発明の効果】
【００１２】
本発明によれば、枠体に対して摺動する摺動部材を利用して、障子を移動しても網戸が障子と共に移動し難い建具を簡易な構成にて提供することができるという効果がある。
【発明を実施するための最良の形態】
【００１３】
以下、本発明の一実施形態に係る建具として、窓に用いられる建具について図面を参照して説明する。以下の説明においては、建具を屋内側から見たときに上下となる方向を上下方向、左右となる方向を左右方向または見付け方向、奥行き方向を見込み方向として示す。
【００１４】
図１は、本実施形態に係る外障子を少し開いた状態の建具を室内側から見た図である。  
図示するように、本実施形態の建具１０は、ビルの開口に取り付けられる枠体１１と、枠体１１に設けられ見付け方向に移動自在な内障子１２及び外障子１３と、網戸２０とを有している。
【００１５】
図２は、本実施形態の建具を示す縦断面図である。図３は、外障子を開いた状態を示す横断面図である。
【００１６】
内障子１２及び外障子１３は、いずれも面材としてのガラス１５と、ガラス１５の左右に配置される縦框１２ａ、１３ａと、ガラス１５の上下に配置される横框１２ｂ、１３ｂを有している。
【００１７】
枠体１１は、左縦枠１１ａ、右縦枠１１ｂ、上枠１１ｃ、下枠１１ｄとが開口に取り付けられて矩形状を成している。上枠１１ｃと下枠１１ｄとには、内障子１２が移動する際に沿わされる内レール１１ｅ、外障子１３が移動する際に沿わされる外レール１１ｆ、及び、網戸２０が移動する際に沿わされる網戸用レール１１ｇが設けられている。上枠１１ｃに設けられた内レール１１ｅ、外レール１１ｆ、及び、網戸用レール１１ｇは、見付け方向に沿って下方に垂設された板状の部位であり、それぞれ内障子１２、外障子１３、及び、網戸２０の上端側に入り込んでいる。また、下枠１１ｄに設けられた内レール１１ｅ、外レール１１ｆ、及び、網戸用レール１１ｇは、見付け方向に沿って上方に立設された板状の部位であり、それぞれ内障子１２、外障子１３、及び、網戸２０の下端側に設けられた戸車１６を支持している。
【００１８】
左縦枠１１ａ及び右縦枠１１ｂの屋外側には、外板部１１ｎが形成されている。また、外板部１１ｎは上下枠１１ｃ、１１ｄに設けられた網戸用レール１１ｇと見込み方向に同じ位置に設けられており、網戸２０を閉じた際には、網戸２０に設けられた、後述する押圧部材６０が外板部１１ｎと係合する。
【００１９】
そして、左右の縦枠１１ａ、１１ｂの屋内側の間を、上下枠１１ｃ、１１ｄの内レール１１ｅに沿って内障子１２が移動する。また、左右の縦枠１１ａ、１１ｂの屋外側の間を上下枠１１ｃ、１１ｄの外レール１１ｆに沿って外障子１３が移動する。
【００２０】
また、建具１０にて内障子１２と外障子１３とを閉めた際には、内障子１２の縦框１２ａが右縦枠１１ｂに当接し、外障子１３の縦框１３ａが左縦枠１１ａに当接する。
【００２１】
図４は、本実施形態に係る網戸の概要を説明するための斜視図である。図５は、本実施形態に係る網戸を示す正面図である。図６は、本実施形態に係る網戸を示す側面図である。図７は、図５におけるＡ矢視図である。
【００２２】
網戸２０は、左縦框２２と、右縦框２４と、上框２６と、下框２８とが矩形状に組み合わされて、中央に矩形状の通気用開口３０が形成されている。通気用開口３０には屋外側から網３１が張設されている。
【００２３】
左縦框２２と右縦框２４とは、断面がほぼ矩形状をなすアルミニウム製の押出成形部材であり、矩形中空部分２２ａ、２４ａにおける屋外側の面２２ｂ、２４ｂとともに平面を形成し、屋外側の面２２ｂ、２４ｂから通気用開口３０と反対方向に延出された外側延出部２２ｄ、２４ｄを有している。また、外側延出部２２ｄ、２４ｄの屋内側には、外側延出部２２ｄ、２４ｄとほぼ平行になるように間隔を隔てて形成された内側延出部２２ｅ、２４ｅが設けられている。内側延出部２２ｅ、２４ｅは、矩形中空部分２２ａ、２４ａにおける屋内側の面２２ｃ、２４ｃより僅かに屋内側の位置に、外側延出部２２ｄ、２４ｄとほぼ同じ長さだけ矩形中空部分２２ａ、２４ａから突出されている。
【００２４】
この内側延出部２２ｅ、２４ｅの上端側及び下端側には、網戸２０が移動する際に沿わされる上下枠１１ｃ、１１ｄの網戸用レール１１ｇが入り込む摺動溝５０ａ、５１ａを有する摺動部材５０、５１が取り付けられる摺動部材取付部２２ｇ、２４ｇと、網戸２０を閉止したときに左右の縦枠１１ａ、１１ｂの外板部１１ｎに押圧される押圧部材６０が取り付けられる押圧部材取付部２２ｈ、２４ｈが設けられている。摺動部材取付部２２ｇ、２４ｇは、左右の縦框２２、２４の上下方向に沿って形成されたチャンネル溝であり、押圧部材取付部２２ｈ、２４ｈは、チャンネル溝の近傍に設けられた角穴である。
【００２５】
摺動部材５０、５１は、網戸２０を閉止するときに、外板部１１ｎの先端が当接されて、網戸２０の位置が規制されるストッパとしての機能も有しており、当接される際の衝撃も作用するため、摺動部材取付部２２ｇ、２４ｇの外側延出部２２ｄ、２４ｄ側は袋状に形成されて、摺動部材５０、５１が安定するように構成されている。このとき、左縦框２２及び右縦框２４では、内側延出部２２ｅ、２４ｅの矩形中空部分２２ａ、２４ａに近い側に摺動部材取付部２２ｇ、２４ｇが設けられ、内側延出部２２ｅ、２４ｅから遠い側に押圧部材取付部２２ｈ、２４ｈが設けられている。このため、網戸２０に設けられた摺動部材５０、５１と押圧部材６０とは隣接して配置される。また、上下の摺動部材５０、５１の間には、摺動部材５０と連なるように配置され、障子１２，１３を開いた際に虫等が屋内に入ることを防止するブラシ状に形成された遮蔽ブラシ材１４が設けられている。この遮蔽ブラシ材１４は、毛先が屋内側すなわち障子１２、１３側に向かい、ブラシ状の繊維が縦框２２、２４から立ち上がった状態にて設けられている。そして、本実施形態においては網戸２０が閉められた際には、網戸２０の右縦框２４に設けられた遮蔽ブラシ材１４が、外障子１３の縦框１３ａに、網戸２０を開放した際には、網戸２０の左縦框２２に設けられた遮蔽ブラシ材１４が、外障子１３の縦框１３ａに接触するように形成されている。
【００２６】
また、内側延出部２２ｅ、２４ｅの外側面２２ｆ、２４ｆには、押圧部材６０の一部や、摺動部材５０、５１が取り付けられる袋状の部位が突出するが、これら摺動部材５０、５１及び押圧部材６０が取り付けられる内側延出部２２ｅ、２４ｅの外側に位置する外側延出部２２ｄ、２４ｄが目隠しとなって網戸２０の美観を高めている。摺動部材５０、５１、及び、押圧部材６０については後述する。
【００２７】
上框２６と下框２８とは、断面がほぼ矩形状のアルミニウム製の押出成形部材であり、矩形中空部分２６ａ、２８ａは、左縦框２２と右縦框２４との間に配置されると共に通気用開口３０を形成している。上框２６は、矩形中空部分２６ａから屋内側に延出され更に上方に立設された立設壁２６ｂを有し、この立設壁２６ｂが、外レール１１ｆと網戸用レール１１ｇとの間に入り込まされている（図２）。下框２８は、矩形中空部分２８ａから屋内側に延出され更に、矩形中空部分２８ａと間隔を隔てて垂下された垂下壁２８ｂを有し、矩形中空部分２８ａと垂下壁２８ｂとの間の空間には戸車１６が収容されている（図２）。
【００２８】
図８は、上側の摺動部材を図５におけるＢ側から見た図である。図９は、図８の平面図である。図１０は、図８におけるＣから見た図である。
【００２９】
図８に示す上摺動部材５０は、縦框２２、２４に取り付けた際に、左側が屋外側に、右側が室内側に向けられている。図８においては見付け方向が紙面に直交する方向となる。上摺動部材５０は、樹脂製の成型部材である。上摺動部材５０の上部には見付け方向に沿って上側の網戸用レール１１ｇが入り込む摺動溝５０ａが設けられている。上摺動部材５０の室内側及び下側には、見付け方向に間隔を隔てて２枚のフィン５０ｂが形成されている。この２枚のフィン５０ｂの下部は、上摺動部材５０を縦框２２、２４に取り付けた際に、上摺動部材５０の下方に設けられる遮蔽ブラシ材１４に入り込み、上摺動部材５０と遮蔽ブラシ材１４との境界を隙間無くシールドする機能を有している。上摺動部材５０の室外側には下側のほぼ半分の領域に、上摺動部材５０を左右の縦框２２、２４に取り付ける際に、縦框２２、２４に設けられた摺動部材取付部２２ｇ、２４ｇのスリットに差し込まれる差込凸部５０ｃが設けられている。
【００３０】
差込凸部５０ｃは、図１０に示すように見付け方向の幅が狭くなるように形成された連結部位５０ｄと連結部位５０ｄの外側に、摺動部材５０の見付け方向の幅より僅かに狭く形成された係合板部５０ｅとを有し平面視Ｔ字状に形成されている。また、係合板部５０ｅの外側面には、縦框２２，２４に取り付けられた上摺動部材５０の抜けを防止するための抜け防止凸部５０ｆが設けられている。また、係合板部５０ｅの幅は、縦框２２、２４に挿入される際の先端側、すなわち下端側が狭く形成され、上部は幅が広がるように輪郭を湾曲させた幅広部５０ｇを有している。このため、上摺動部材５０を縦框２２、２４に装着する際には、内板部１１ｍの屋外側に設けられた袋状の部位に容易に挿入することが可能であると共に、装着された状態では、係合板部５０ｅの幅広部５０ｇが袋状の部位に圧入されているので、上摺動部材５０を安定した状態にて保持させることが可能である。このとき、上摺動部材５０は２枚のフィン５０ｂが設けられている側が屋内側に向けられると共に、下方に設けられた遮蔽ブラシ材１４と上下方向に繋がった状態にて安定して固定される。
【００３１】
図１１は、下側の摺動部材を図５におけるＢ側から見た図である。図１２は、図１１におけるＤ側から見た図である。
【００３２】
図１１に示す下摺動部材５１は、縦框２２、２４に取り付けた際に、左側が屋外側に、右側が室内側に向けられている。図１１においては見付け方向が紙面に直交する方向となる。下摺動部材５１は樹脂製の成型部材である。下摺動部材５１の下部には見付け方向に沿って下側の網戸用レール１１ｇが入り込む摺動溝５１ａが設けられている。下摺動部材５１の室内側及び上側には、見付け方向に間隔を隔てて２枚のフィン５１ｂが形成されている。この２枚のフィン５１ｂは、下摺動部材５１を縦框２２、２４に取り付けた際に、下摺動部材５１の上方に設けられる遮蔽ブラシ材１４に入り込み、下摺動部材５１と遮蔽ブラシ材１４との境界を隙間無くシールドする機能を有している。下摺動部材５１の室外側には、下摺動部材５１を左右の縦框２２、２４に取り付ける際に、縦框２２、２４に設けられた摺動部材取付部のスリットに差し込まれる差込凸部５１ｃが設けられている。
【００３３】
差込凸部５１ｃは、上摺動部材５０と同様に見付け方向の幅が狭くなるように形成された連結部位５１ｄと連結部位５１ｄの外側に、下摺動部材５１の見付け方向の幅より僅かに狭く形成された係合板部５１ｅとを有し平面視Ｔ字状に形成されている。また、係合板部５１ｅの外側面には、縦框２２、２４に取り付けられた下摺動部材５１の抜けを防止するための抜け防止凸部５１ｆが設けられている。
【００３４】
このため、下摺動部材５１は左右の縦框２２、２４の下方から、縦框２２、２４に設けられた摺動部材取付部のスリットに下摺動部材５１の連結部位５１ｄが入り込み、係合板部５１ｅが縦框２２、２４の袋状の部位に入り込むように装着される。このとき、抜け防止凸部５１ｆが縦框の袋状の部位に設けられた穴から突出されて、下摺動部材５１が縦框２２、２４に抜けないように装着される。そして、下摺動部材５１は２枚のフィン５１ｂが設けられている側が室内側に向けられると共に、上方に設けられた遮蔽ブラシ材１４と上下方向に繋がった状態にて安定して固定される。
【００３５】
図１３は、押圧部材の平面図である。図１４は、図１３におけるＥから見た図である。
【００３６】
押圧部材６０は、縦框２２、２４に取り付けた際に、図１３の上側が屋外側に、下側が室内側に向けられている。押圧部材６０は、本体部６２と装着部６４とを有している。装着部６４は図１３において上側に位置し、本体部６２から屋外側に突出された台部６４ａと、台部６４ａから屋外側に延出された支持軸部６４ｂと、支持軸部６４ｂの先端側から屋内側に向かって支持軸部６４ｂとの距離が広がるように突出された２つのフック部６４ｃとを有している。２つのフック部６４ｃは見付け方向に広がるように設けられており、通常の状態における２つのフック部６４ｃ間の見付け方向の幅は、左右の縦框２２、２４に設けられた押圧部材取付部２２ｈ、２４ｈの角穴より広くなるように形成されている。装着部６４は、樹脂の弾性による変形にて２つのフック部６４ｃを支持軸部６４ｂに近接させた際には、２つのフック部６４ｃ間の見付け方向の幅は、押圧部材取付部２２ｈ、２４ｈの角穴より狭くなるように形成されている。このため、押圧部材６０は、装着部６４の２つのフック部６４ｃを支持軸部６４ｂに近接させた状態にて押圧部材取付部２２ｈ、２４ｈの角穴に挿入し、内側延出部２２ｅ、２４ｅの外側にてフック部６４ｃが広がることにより縦框２２、２４に取り付けられる。このとき、台部６４ａは角穴に入り込み、内側延出部２２ｅ、２４ｅが本体部６２と２つのフック部６４ｃとに挟まれるようにして押圧部材６０が取り付けられるが、本体部６２とフック部６４ｃの間隔は内側延出部２２ｅ、２４ｅの肉厚より広いため、押圧部材６０は比較的ルーズな状態で取り付けられている。
【００３７】
本体部６２は、装着部６４と反対側に、網戸２０を閉じた際に縦枠１１ａ、１１ｂの外板部１１ｎに押圧される枠体押圧面としての押圧面６２ａを有している。本実施形態の押圧面６２ａは、本体部６２における装着部６４側の取付面としての基面６２ｅとのなす角度が数度の小さな角度θ１となるように形成されている。このとき、押圧面６２ａの傾斜は、押圧部材６０を網戸２０に取り付けた際に見付け方向の端側に位置する側から摺動部材５０、５１側に向かって、押圧面６２ａと基面６２ｅとの距離が短くなるように形成されている。
【００３８】
また、本体部６２において、押圧部材６０が縦框２２、２４に取り付けられたときに隣接する摺動部材５０、５１側かつ押圧面６２ａ側には、摺動部材５０、５１側に突出させて摺動部材５０、５１に当接される当接凸部６２ｂが設けられている。当接凸部６２ｂの摺動部材５０、５１に当接される側の当接面６２ｃは、基面６２ｅと直交する線に対して数度の小さな角度θ１傾くような傾斜が形成されており、この傾斜は、内側延出部２２ｅ、２４ｅに近づくにつれて突出量が小さくなるように形成されている。すなわち、当接凸部６２ｂの摺動部材５０に当接される側の当接面６２ｃと押圧面６２ａとが直角をなすように形成されている。また、本体部６２の見付け方向の端側には、押圧面６２ａに対し適宜な角度θ２を有する傾斜面６２ｄが設けられている。このため、網戸２０を締める際には、縦枠１１ａ、１１ｂの外板部１１ｎが傾斜面６２ｄに当接されることにより、押圧部材６０は外板部１１ｎの外側に案内されることになる。
【００３９】
図１５は、本実施形態の建具における網戸が移動する際の軌道を説明するための図である。
【００４０】
図１５（ａ）に示すように、網戸２０が移動する際には、下側の網戸用レール１１ｇに戸車が支持されるとともに、摺動部材（ここでは下の摺動部材）５１に下の網戸用レール１１ｇが入り込んだ状態にて、下の網戸用レール１１ｇに沿って移動する。そして、網戸２０が移動している状態では、押圧部材６０の押圧面６２ａの見込み方向の位置は、縦枠１１ａ、１１ｂの外板部１１ｎの外側面より、およそ外板部１１ｎの板厚分外障子１３側に位置している。
【００４１】
そして、網戸２０を閉める方向（ここでは左縦枠１１ａに向かう方向）に移動させると、図１５（ｂ）に示すように、押圧部材６０の傾斜面６２ｄが外板部１１ｎの端縁に接触する。そして、更に網戸２０を閉める方向に移動させると、図１５（ｃ）に示すように外板部１１ｎの端縁により押圧部材６０が傾斜面６２ｄに沿う方向に移動される。
【００４２】
このとき、押圧部材６０が外板部１１ｎより外側に押されるようにして移動され、外板部１１ｎの端縁が摺動部材５１に当接されると、押圧部材６０の押圧面６２ａが外板部１１ｎの外側面に当接される。押圧面６２ａが外板部１１ｎの外側面に当接された状態は、網戸２０が安定していた状態から、外板部１１ｎの外側に押し出されたような状態となるため、少なくとも自重及び網戸２０自体の剛性により、網戸２０が安定した状態に戻る方向に力が作用する。この場合には、押圧部材６０が外板部１１ｎを押す方向に力が作用する。このため、網戸２０を開こうとする際には、押圧部材６０がない場合と比較して、押圧部材６０と外板部１１ｎとの摩擦力が作用して網戸２０は開きにくくなる。また、網戸２０が押圧部材６０により外側に移動された外側は、外障子１３とは反対の方向となるので、摺動部材５１、及び、遮蔽ブラシ材１４は外障子１３から離れる方向に移動されることになる。このため、網戸２０と外障子１３との間にて作用する摩擦力は小さくなる。したがって、網戸２０を閉めた際に押圧部材６０の押圧面６２ａが外板部１１ｎの外側面に押圧されることにより、外障子１３を移動させる際に生じる、網戸２０と外障子１３との間の摩擦力は小さくなり、網戸２０と枠体１１との間の摩擦力が大きくなる。よって、外障子１３を移動させたときに網戸２０が一緒に移動されることを防止することが可能である。
【００４３】
このとき、押圧部材６０が外板部１１ｎを押す力は、網戸２０を閉めた際に押圧部材６０が枠体１１によって押圧されることにより生じるので、枠体１１には何らの加工も必要はない。よって、枠体１１に加工等を施すことなく、外障子１３を移動しても網戸２０が外障子１３と共に移動し難い建具１０を実現することが可能である。
【００４４】
また、押圧部材６０の押圧面６２ａと基面６２ｅとの距離を相違させることにより、押圧面６２ａと外板部１１ｎとの間に生じる摩擦力を相違させることが可能である。特に、本実施形態の押圧部材６０は、縦框２２、２４に着脱自在な構成としたので、例えば、押圧面６２ａと基面６２ｅとの距離が相違する複数種類の押圧部材６０を用意しておくと、施工現場において建て付け状態に合わせて押圧部材６０を交換することにより、押圧面６２ａと外板部１１ｎとの間に生じる摩擦力を調整することが可能である。
【００４５】
特に本実施形態の押圧部材６０は、当接凸部６２ｂが設けられており、押圧面６２ａと基面６２ｅとのなす角度が数度の小さな角度θ１となるように、また、当接面６２ｃと、基面６２ｅに直交する線に対して数度の小さな角度θ１傾くように、形成されているので、押圧面６２ａと外板部１１ｎとが面接触しやすく確実に摩擦力を高めることが可能である。このため、外障子１３を移動させたときに網戸２０が一緒に移動されることをより確実に防止することが可能である。
【００４６】
図１６は、当接凸部、及び押圧面と当接面の傾斜が設けられていない押圧部材を用いた際に網戸が開かれる様子を示す図である。図１７は、本実施形態における網戸が開かれる様子を示す図である。
【００４７】
図１６に示すように、当接凸部及び、押圧面６５ａの傾斜が設けられていない場合には、網戸２０が閉められている際には押圧面６５ａと外板部１１ｎとが面接触していたとしても、押圧部材６５の２つのフック部６５ｃと内板部１１ｍとの間には間隙αがあるため、網戸２０が開けられる際には、その間隙αの分だけ押圧部材６５が傾いてしまう。押圧部材６５が傾くと、押圧面６５ａと外板部１１ｎの外側面とは面接触できず摩擦力が低下する。
【００４８】
一方、図１７に示す本実施形態のように当接凸部６２ｂ、及び押圧面６２ａと当接面６２ｃの傾斜が設けられていると、押圧部材６０を内側延出部２２ｅに取り付けた状態にて、当接凸部６２ｂが摺動部材５０、５１に当接されることにより押圧部材６０が外板部１１ｎに対して傾いた状態にて取り付けられる。この状態では、当接凸部６２ｂが摺動部材５０、５１に当接されて、内側延出部２２ｅの押圧部材６０が取り付けられている面と押圧面６２ａとが平行となる。このため、押圧部材６０の２つのフック部６４ｃと内板部１１ｍとの間には間隙が生じないので、網戸２０が開かれる際であっても、押圧面６２ａと外板部１１ｎとが面接触している状態が保たれる。よって、本実施形態の押圧部材６０を用いることにより、網戸２０が開かれる際には、押圧面６２ａと外板部１１ｎとの間にてより大きな摩擦力を生じさせることが可能である。このため、外障子１３を移動させたときに網戸２０が一緒に移動されることをより確実に防止することが可能である。
【００４９】
次に、押圧部材の変形例について説明する。  
以下の説明では、上記実施形態と同様の部材には同じ符号を付して説明を省略する。
【００５０】
＜第１変形例＞
上記実施形態においては、押圧部材６０を網戸２０の縦框２２、２４に取り付けた例について説明したが、押圧部材６０を摺動部材５０、５１に取り付ける構成としても良い。
【００５１】
第１変形例の網戸の概要を示す斜視図は、図４と同様である。図１８は、押圧部材が上摺動部材に取り付けられる様子を説明する図である。図１９は、押圧部材が下摺動部材に取り付けられる様子を説明する図である。図２０は、摺動部材に取り付けられるタイプの押圧部材が取り付けられた網戸を下方から見た図である。
【００５２】
第１変形例の網戸２０は、縦框２２，２４に押圧部材取付部は設けられておらず、摺動部材取付部のみが設けられている。
【００５３】
第１変形例の押圧部材６０は、本体部６２と差込部６６とを有し、本体部６２は内側延出部２２ｅ、２４ｅに当接される基面６２ｅと平行に形成された押圧面６２ａと、延出部側面６２ｅと直角に形成された摺動部材側面６２ｆとを有し、摺動部材側面６２ｆに差込部６６が突出されている。差込部６６は、摺動部材側面６２ｆに垂直に突出され上下方向に沿わされた板状の突出部６６ａと、突出部６６ａの先端に突出部６６ａと直交するように設けられた差込板部６６ｂとを有し、平面視Ｔ字状に形成されている。
【００５４】
また、上下の摺動部材５０、５１には、縦框２２、２４に取り付けられた際に見付け方向に向けられる両側面にスリット５０ｈ、５１ｈが設けられている。このスリット５０ｈ、５１ｈは、上摺動部材５０には上端側に、下摺動部材５１には下端側に設けられており、スリット５０ｈ、５１ｈの内側は内部の空間５０ｉ、５１ｉがスリット５０ｈ、５１ｈの幅より広くなるように形成されている。このため、上摺動部材５０を上方から見ると、それぞれＴ字状の穴５０ｋが左右に対称となるように２つ形成されている。また、下の摺動部材５１も下方から見ると、上の摺動部材５０と同様にそれぞれＴ字状の穴５１ｋが左右に対称となるように２つ形成されている。そして、上摺動部材５０のＴ字状の穴５０ｋには、図１８に示すように、押圧部材６０の差込部６６が上方から、下摺動部材５１のＴ字状の穴５１ｋには、図１９に示すように押圧部材６０の差込部６６が下方から挿入されて、押圧部材６０が摺動部材５０に取り付けられる。図２０に示すように、押圧部材６０が取り付けられた摺動部材５０、５１が内側延出部２２ｅ、２４ｅに取り付けられる。このとき、上下の摺動部材５０、５１には、それぞれＴ字状の穴５０ｋ、５１ｋが左右に対称となるように２つ形成されているので、押圧部材６０をいずれの側に取り付けるかによって、左縦框２２用としても、また、右縦框２４用としても用いることが可能である。このため、左縦框２２用の摺動部材及び押圧部材を、右縦框２４用の摺動部材及び押圧部材と共通化することにより、コストを低減することが可能である。
【００５５】
＜第２変形例＞
第２の変形例は、押圧部材と摺動部材とが別体にて構成されている例について説明したが、押圧部が摺動部材に一体形成されていても良い。第２変形例の網戸の概要を示す斜視図も図４と同様である。図２１は、押圧部が上摺動部材に一体に形成された状態を示す図である。図２２は、押圧部が下摺動部材に一体に形成された状態を示す図である。図２３は、押圧部が下摺動部材に一体に形成されて取り付けられた網戸を下方から見た図である。
【００５６】
第２変形例の網戸２０も第１変形例の網戸２０と同様に、縦框２２、２４に摺動部材取付部が設けられている。
【００５７】
第２変形例の摺動部材５０には、見付け方向の両側面に押圧部７０が設けられている。押圧部７０は摺動部材５０の両側面からそれぞれ突設され、摺動部材５０が縦框２２、２４に取り付けられた際に内側延出部２２ｅ、２４ｅと平行をなすように形成された押圧面６２ａを有している。
【００５８】
そして、押圧部７０が摺動部材５０に一体に形成された形態では、摺動部材５０において見付け方向の両側に押圧部７０が設けられているので、単一の摺動部材５０が左縦框２２用としても、また、右縦框２４用としても用いることが可能である。このため、部品点数や組み立て工数を低減しコストを低減することが可能である。また、網戸２０として組み立てられた際には、図２３に示すように見付け方向において中央側に設けられた押圧部７０が上下框２６、２８の内部に収容される。このため、不要な押圧部が外部に露出しないので、すっきりとしたデザインを維持することが可能である。
【００５９】
なお、網戸の框の内側に外板部が入り込む形態にも適用可能である。この場合には、摺動部材及び押圧部材は、縦框の外側延出部に縦框の内側に向けられて設けられている。そして、網戸を閉じた状態では、框の内側に入り込んだ外板部の外側面を押圧部材の押圧面が押圧しているので、外障子を開ける際の摩擦力が高くなり、網戸が外障子と共に移動することを防止することができるという効果を奏する。
【００６０】
上記形態は、本発明の理解を容易にするためのものであり、本発明を限定して解釈するためのものではない。本発明は、その趣旨を逸脱することなく、変更、改良され得ると共に、本発明にはその等価物が含まれることはいうまでもない。特に、以下に述べる実施形態であっても、本発明に含まれるものである。
【図面の簡単な説明】
【００６１】
【図１】本実施形態に係る外障子を少し開いた状態の建具を室内側から見た図である。
【図２】本実施形態の建具を示す縦断面図である。
【図３】外障子を開いた状態を示す横断面図である。
【図４】本実施形態に係る網戸の概要を説明するための斜視図である。
【図５】本実施形態に係る網戸を示す正面図である。
【図６】本実施形態に係る網戸を示す側面図である。
【図７】図５におけるＡ矢視図である。
【図８】上側の摺動部材を図５におけるＢ側から見た図である。
【図９】図８の平面図である。
【図１０】図８におけるＣから見た図である。
【図１１】下側の摺動部材を図５におけるＢ側から見た図である。
【図１２】図１１におけるＤ側から見た図である。
【図１３】押圧部材の平面図である。
【図１４】図１３におけるＥから見た図である。
【図１５】本実施形態の建具における網戸が移動する際の軌道を説明するための図である。
【図１６】当接凸部、及び押圧面と当接面の傾斜が設けられていない押圧部材を用いた際に網戸が開かれる様子を示す図である。
【図１７】本実施形態における網戸が開かれる様子を示す図である。
【図１８】押圧部材が上摺動部材に取り付けられる様子を説明する図である。
【図１９】押圧部材が下摺動部材に取り付けられる様子を説明する図である。
【図２０】摺動部材に取り付けられるタイプの押圧部材が取り付けられた網戸を下方から見た図である。
【図２１】押圧部が上摺動部材に一体に形成された状態を示す図である。
【図２２】押圧部が下摺動部材に一体に形成された状態を示す図である。
【図２３】押圧部が下摺動部材に一体に形成されて取り付けられた網戸を下方から見た図である。
【符号の説明】
【００６２】
１０  建具、１１  枠体、１２  内障子、１３  外障子、２０  網戸、２２左縦框、
２４  右縦框、２６  上框、２８  下框、５０  上摺動部材（摺動部材）、
５１  下摺動部材（摺動部材）、６０  押圧部材、６２  本体部、６２ａ  押圧面、
６２ｂ  当接凸部、６２ｃ  当接面、６２ｅ  基面、６５  押圧部材、
６５ａ  押圧面、７０  押圧部
【図１】
2007255080.tif 000003
【図２】
2007255080.tif 000004
【図３】
2007255080.tif 000005
【図４】
2007255080.tif 000006
【図５】
2007255080.tif 000007
【図６】
2007255080.tif 000008
【図７】
2007255080.tif 000009
【図８】
2007255080.tif 000010
【図９】
2007255080.tif 000011
【図１０】
2007255080.tif 000012
【図１１】
2007255080.tif 000013
【図１２】
2007255080.tif 000014
【図１３】
2007255080.tif 000015
【図１４】
2007255080.tif 000016
【図１５】
2007255080.tif 000017
【図１６】
2007255080.tif 000018
【図１７】
2007255080.tif 000019
【図１８】
2007255080.tif 000020
【図１９】
2007255080.tif 000021
【図２０】
2007255080.tif 000022
【図２１】
2007255080.tif 000023
【図２２】
2007255080.tif 000024
【図２３】
2007255080.tif 000025